(57)【特許請求の範囲】
【請求項１】
無線で動作する電気機器に電源を供給するトラックにおいて、
前記トラックは、隣接して配置される小さなサイズの複数のパネルで構成され、
前記パネルは、所定の厚さを有し、かつ、対向する第１の側面部及び第２の側面部を有し、上部には＋電源を供給するための第１の導電部と、前記第１の導電部に対し、電気的不導体によって所定の距離だけ離隔され、−電源を供給するための第２の導電部とが、交互に繰り返して設けられ、前記パネルの第１の側面部には、これに隣接する前記パネルに対し電気的に面接触して電源を供給するための第１の電気接続部が設けられ、前記パネルの第１の側面部と対向する前記第２の側面部には、これに隣接する前記パネルに対し電気的に面接触して電源を供給するための第２の電気接続部が設けられ、前記第１の電気接続部は前記第１の導電部と電気的に接触され、前記第２の電気接続部は前記第２導電部と電気的に接触され、前記パネルの上部において、前記第２の導電部は、前記第１の側面部と所定の距離だけ離隔された位置までのみ設けられ、前記第１の側面部とは電気的に接続されず、前記第１の導電部は、前記第２の側面部と所定の距離だけ離隔された位置までのみ設けられ、前記第２の側面部とは電気的に接続されず、
前記隣接したパネル間は、前記第１の電気接続部同士の面接触、前記第２の電気接続部同士の面接触の少なくともいずれか一方によって電気的に接続されることを特徴とする無線で動作する電気機器に電源を供給するトラック。
【請求項２】
前記第１の電気接続部及び／または前記第２の電気接続部が、それぞれ前記第１の側面部及び／または前記第２の側面部と連結される前記パネルの上部の一部まで延設されることを特徴とする請求項１に記載の無線で動作する電気機器に電源を供給するトラック。
【請求項３】
前記第１の電気接続部及び／または前記第２の電気接続部が、それぞれ前記第１の側面部及び／または前記第２の側面部と隣接した側面部の少なくとも一部まで延設されることを特徴とする請求項１に記載の無線で動作する電気機器に電源を供給するトラック。
【請求項４】
前記導電部が、等間隔で設けられることを特徴とする請求項１乃至請求項３のいずれか１項に記載の無線で動作する電気機器に電源を供給するトラック。
【請求項５】
前記導電部の幅が、前記第１の導電部と前記第２の導電部との間の距離よりも大きいことを特徴とする請求項１乃至請求項３のいずれか１項に記載の無線で動作する電気機器に電源を供給するトラック。
【請求項６】
無線で動作する電気機器に電源を供給するシステムにおいて、
外部から供給される交流電源を入力され、直流電源に変換するＡＤ変換器と、前記ＡＤ変換器と電気的に連結され、前記電気機器に＋及び−の電源を供給するトラックとを備え、
前記トラックは、隣接して配置される小さなサイズの複数のパネルで構成され、
前記パネルは、所定の厚さを有し、かつ、対向する第１の側面部及び第２の側面部を有し、上部には＋電源を供給するための第１の導電部と、前記第１の導電部に対し、電気的不導体によって所定の距離だけ離隔され、−電源を供給するための第２の導電部とが、交互に繰り返して設けられ、前記パネルの第１の側面部には、これに隣接する前記パネルに対し電気的に面接触して電源を供給するための第１の電気接続部が設けられ、前記パネルの第１の側面部と対向する前記第２の側面部には、これに隣接する前記パネルに対し電気的に面接触して電源を供給するための第２の電気接続部が設けられ、前記第１の電気接続部は前記第１の導電部と電気的に接触され、前記第２の電気接続部は前記第２の導電部と電気的に接触され、前記パネルの上部において、前記第２の導電部は、前記第１の側面部と所定の距離だけ離隔された位置までのみ設けられ、前記第１の側面部とは電気的に接続されず、前記第１の導電部は、前記第２の側面部と所定の距離だけ離隔された位置までのみ設けられ、前記第２の側面部とは電気的に接続されず、
前記隣接したパネル間は、前記第１の電気接続部同士の面接触、前記第２の電気接続部同士の面接触の少なくともいずれか一方よって電気的に接続され、前記第１の電気接続部と前記第２の電気接続部が、前記ＡＤ変換器と電気的に接続されることを特徴とする無線で動作する電気機器に電源を供給するシステム。
【請求項７】
前記第１の電気接続部及び／または前記第２の電気接続部が、それぞれ前記第１の側面部及び／または前記第２の側面部と連結される前記パネルの上部の一部まで延設されることを特徴とする請求項６に記載の無線で動作する電気機器に電源を供給するシステム。
【請求項８】
前記第１の電気接続部及び／または前記第２の電気接続部が、それぞれ前記第１の側面部及び／または前記第２の側面部と隣接した側面部の少なくとも一部まで延設されることを特徴とする請求項６に記載の無線で動作する電気機器に電源を供給するシステム。
【請求項９】
無線で動作する電気機器に電源を供給するシステムにおいて、
外部から供給される交流電源を入力され、直流電源に変換するＡＤ変換器と、前記ＡＤ変換器と電気的に連結され、前記電気機器に＋及び−電源を供給するトラックとを備え、
前記トラックは、上部に凹部が形成されたベースと、前記凹部内に隣接して配置される小さなサイズの複数のパネルとを具備し、
前記パネルは、所定の厚さを有し、かつ、対向する第１の側面部及び第２の側面部を有し、上部には＋電源を供給するための第１の導電部と、前記第１の導電部に対し、電気的不導体によって所定の距離だけ離隔され、−電源を供給するための第２の導電部とが、交互に繰り返して設けられ、前記パネルの第１の側面部には、これに隣接する前記パネルに対し電気的に面接触して電源を供給するための第１の電気接続部が設けられ、前記パネルの第１の側面部と対向する前記第２の側面部には、これに隣接する前記パネルに対し電気的に面接触して電源を供給するための第２の電気接続部が設けられ、前記第１の電気接続部は前記第１の導電部と電気的に接触され、前記第２の電気接続部は前記第２の導電部と電気的に接触され、前記パネルの上部において、前記第２の導電部は、前記第１の側面部と所定の距離だけ離隔された位置までのみ設けられ、前記第１の側面部とは電気的に接続されず、前記第１の導電部は、前記第２の側面部と所定の距離だけ離隔された位置までのみ設けられ、前記第２の側面部とは電気的に接続されず、
前記隣接したパネル間は、前記第１の電気接続部同士の面接触、前記第２の電気接続部同士の面接触の少なくともいずれか一方よって電気的に接続され、前記第１の電気接続部と前記第２の電気接続部が、前記ＡＤ変換器と電気的に接続されることを特徴とする無線で動作する電気機器に電源を供給するシステム。
【請求項１０】
前記凹部の内壁と最外角部に組み込まれる前記パネルの外周面との間には、弾性材が挟み込まれることを特徴とする請求項９に記載の無線で動作する電気機器に電源を供給するシステム。
【発明の詳細な説明】
【０００１】
【発明の属する技術分野】
本発明は、無線で動作する電気機器に電源を供給するトラック及びシステムに関し、より詳しくは、両辺に電気接続部と、上面に＋と−電源を供給する複数の導電部とを備え、前記電気接続部と複数の導電部が電気的に接続される複数のパネルで構成される無線で動作する電気機器に電源を供給するトラック及びシステムに関する。
【０００２】
【従来の技術】
【０００３】
【特許文献１】
米国特許第５，８６８，０７６号明細書
【特許文献２】
米国特許第６，０４４，７６７号明細書
【０００４】
従来の一定のトラック上で競争させる無線調整が可能な電気機器、例えば娯楽室に普及された無線調整自動車は、無線調整自動車に別途のバッテリをセットした後、バッテリが消耗するまでにのみ運転できるようになっている。従って、バッテリが一定の電荷以下に放電された場合は、バッテリの交換または充電を行わなければならない。これとは別途の電源供給システムによって、電源供給線のみを有線とした競走用無線調整自動車がある。後者の短所は、電源供給線によって自動車が一定のトラックのみを走るように制限されるという問題点があった。
【０００５】
このような問題点を解決するために、無線調整自動車に＋及び−電源を同時に供給することができるトラックに関する技術が、上記特許文献１（米国特許第５，８６８，０７６号明細書）及び特許文献２（米国特許第６，０４４，７６７号明細書）に開示されている。これらの公報に開示された技術は、トラックを構成する複数のパネルに、隣接したパネルと電気的及び機械的に連結するための接続部を設けたものである。しかし、これらの技術を適用する場合は、いくつかの問題点があった。
【０００６】
第一の問題点は、隣接したパネル間に位置ずれが生じた場合、ショートが発生し、またはショートには至らなくても、熱が発生することにより、パネルの上部に設けられたストリップ状の導電部の接着部が弱くなって浮き上がることである。第二の問題点は、構造が複雑であるということである。上記特許文献１（米国特許第５，８６８，０７６号明細書）及び特許文献２（米国特許第６，０４４，７６７号明細書）に開示されたパネルは、電気的不導体（例えば、プラスチック）をベースとし、その上部にストリップ状の導電部を設け、各導電部を連結する電気配線部を下部に設け、隣接したパネルと連結される電気接続部を製作して組み込まなければならない構造を有している。従って、このような複雑な構造により、製造コストを上昇させる問題点があった。第三の問題点は、機械的接続部と電気的接続部を精密に加工しなければならないということである。各パネル部に機械的接続部と電気的接続部が別途にそれぞれ設けられるので、これを精密に加工しなければならない問題点があった。
【０００７】
【発明が解決しようとする課題】
本発明は、上記問題点に鑑みなされたものであり、簡単な電気配線構造を有するパネルで構成され、かつ無線で動作する電気機器に電源を供給するトラック及びシステムを提供することを目的とする。
【０００８】
本発明は、隣接したパネル間に位置ずれが生じても、ショートが発生せず、かつ無線で動作する電気機器に電源を供給するトラック及びシステムを提供することを他の目的とする。
【０００９】
【課題を解決するための手段】
上記の目的を達成するために、本発明による無線で動作する電気機器に電源を供給するトラックは、隣接して配置される小さなサイズの複数のパネルで構成され、パネルは、所定の厚さを有し、かつ、対向する第１の側面部及び第２の側面部を有し、上部には＋電源を供給するための第１の導電部と、この第１の導電部に対し、電気的不導体によって所定の距離だけ離隔され、−電源を供給するための第２の導電部とが、交互に繰り返して設けられ、パネルの第１の側面部には、これに隣接するパネルに対し電気的に面接触して電源を供給するための第１の電気接続部が設けられ、パネルの第１の側面部と対向する第２の側面部には、これに隣接するパネルに対し電気的に面接触して電源を供給するための第２の電気接続部が設けられ、第１の電気接続部は第１の導電部と電気的に接触され、第２の電気接続部は第２の導電部と電気的に接触され、パネルの上部において、第２の導電部は、第１の側面部と所定の距離だけ離隔された位置までのみ設けられ、第１の側面部とは電気的に接続されず、第１の導電部は、第２の側面部と所定の距離だけ離隔された位置までのみ設けられ、第２の側面部とは電気的に接続されず、隣接したパネル間は、第１の電気接続部同士の面接触、第２の電気接続部同士の面接触の少なくともいずれか一方によって電気的に接続されることを特徴とする。
【００１０】
また、本発明による無線で動作する電気機器に電源を供給するシステムは、外部から供給される交流電源を入力され、直流電源に変換するＡＤ変換器と、このＡＤ変換器と電気的に連結され、電気機器に＋及び−電源を供給するトラックとを備え、トラックは、隣接して配置される小さなサイズの複数のパネルで構成され、パネルは、所定の厚さを有し、かつ、対向する第１の側面部及び第２の側面部を有し、上部には＋電源を供給するための第１の導電部と、この第１の導電部に対し、電気的不導体によって所定の距離だけ離隔され、−電源を供給するための第２の導電部とが、交互に繰り返して設けられ、パネルの第１の側面部には、これに隣接するパネルに対し電気的に面接触して電源を供給するための第１の電気接続部が設けられ、パネルの第１の側面部と対向する第２の側面部には、これに隣接するパネルに対し電気的に面接触して電源を供給するための第２の電気接続部が設けられ、第１の電気接続部は第１の導電部と電気的に接触され、第２の電気接続部は第２の導電部と電気的に接触され、パネルの上部において、第２の導電部は、第１の側面部と所定の距離だけ離隔された位置までのみ設けられ、第１の側面部とは電気的に接続されず、第１の導電部は、第２の側面部と所定の距離だけ離隔された位置までのみ設けられ、第２の側面部とは電気的に接続されない構成を備え、隣接したパネル間は、第１の電気接続部同士の面接触、第２の電気接続部同士の面接触の少なくともいずれか一方によって電気的に接続され、第１の電気接続部と第２の電気接続部が、ＡＤ変換器と電気的に接続されることを特徴とする。
【００１１】
さらに、本発明による無線で動作する電気機器に電源を供給するシステムは、外部から供給される交流電源を入力され、直流電源に変換するＡＤ変換器と、このＡＤ変換器と電気的に連結され、前記電気機器に＋及び−電源を供給するトラックとを備え、トラックは、上部に凹部が形成されたベースと、凹部内に隣接して配置される小さなサイズの複数のパネルとを具備し、パネルは、所定の厚さを有し、かつ、対向する第１の側面部及び第２の側面部を有し、上部には＋電源を供給するための第１の導電部と、この第１の導電部に対し、電気的不導体によって所定の距離だけ離隔され、−電源を供給するための第２の導電部とが、交互に繰り返して設けられ、パネルの第１の側面部には、これに隣接するパネルに対し電気的に面接触して電源を供給するための第１の電気接続部が設けられ、パネルの第１の側面部と対向する第２の側面部には、これに隣接するパネルに対し電気的に面接触して電源を供給するための第２の電気接続部が設けられ、第１の電気接続部は第１の導電部と電気的に接触され、第２の電気接続部は第２の導電部と電気的に接触され、パネルの上部において、第２の導電部は、第１の側面部と所定の距離だけ離隔された位置までのみ設けられ、第１の側面部とは電気的に接続されず、第１の導電部は、第２の側面部と所定の距離だけ離隔された位置までのみ設けられ、第２の側面部とは電気的に接続されない構成を備え、隣接したパネル間は、第１の電気接続部同士の面接触、第２の電気接続部同士の面接触の少なくともいずれか一方によって電気的に接続され、第１の電気接続部と第２の電気接続部が、ＡＤ変換器と電気的に接続されることを特徴とする。
【００１２】
【発明の実施の形態】
以下、本発明の好ましい実施の形態を、添付図面に基づいて詳しく説明する。
【００１３】
図１は、トラックを形成する基本単位であるパネルの構成を示す斜視図である。パネル１０は、電気的不導体であるベース６０の上部面に、それぞれ＋と−電源を印加するための導電部２０、３０が設けられている。パネル１０の左右側面には、電気接続部４０、５０が設けられ、隣接したパネル１０との電気接触を容易にし、電源を供給されやすくなっている。
【００１４】
上部面に設けられる導電部２０は、パネル１０の左側面に設けられる電気接続部４０とは電気的に導電状態を維持し、右側面に設けられる電気接続部５０とは所定の距離Ｓ２だけ離隔させることにより、絶縁状態を維持するようになっている。また、導電部３０も同様に、電気接続部５０とは導電状態を、電気接続部４０とは絶縁状態を維持している。導電部２０と導電部３０との間は、絶縁状態を維持するために、所定の距離Ｓ１だけ離隔され、好ましくは、Ｓ１部分に絶縁体を挿入する。パネル１０の上部に導電部２０と導電部３０は交互に繰り返して設けられている。このとき、導電部２０、３０の幅ｔは導電部２０、３０間の距離Ｓ１よりも大きく形成しなければならない。
【００１５】
パネル１０に設けられる電気接続部４０、５０は、パネルの左右側面だけでなく、図示のように、長尺状で上下面の一部にも設けられ、上下部に積層されるパネル１０との電気接触を容易にすることができる。
【００１６】
図２及び図３は、パネル間の電気的連結状態を示す図である。
【００１７】
先ず、図２を参照して、左側のパネル１１の電気接続部４０は、右側のパネル１２の電気接続部４０と電気的に接触するように配置されている。これによって、パネル１１、１２間の電圧の印加が容易になり、従来の問題点であったパネル１１、１２間の位置ずれによるショートまたはショートの恐れが、本発明による構造によって、顕著に少なくなった。
【００１８】
図３は、左右及び上下のパネル間の導電状態を示している。図３は、３つのパネル１１、１２、１３が連結された状態で４番目のパネル１４を付着させる状態を示している。上下のパネル１１と１３、１２と１４間の電気的連結は、図１に示すように、パネルの左右側面に延長される部分からパネルの上下部の一部に延長される部分まで設けられる電気接続部によって行われる。図３のように、２×２パネルが連結されたトラックの各パネルの導電部２０、３０に電源を印加するためには、図３に示すように、中間の縦方向にパネル間に設けられた電気接続部４０に−電源を印加し、両側の縦方向に設けられた電気接続部５０に＋電源を接続させればよい。
【００１９】
図４は、４×４パネルからなるトラックの構成を示している。図４では、トラックの構造をより明確に示すために、右下端の２つのパネルは、まだ組み込まなかった状態を示している。トラック１６０には、不導体のベース２１０の上部に複数のパネルを組み込むための凹部２２０が設けられている。凹部に複数のパネルを図２及び図３に示すように嵌合した後、最外角部に組み込まれるパネルの外周面と凹部の内壁２３０との間に、ゴム等の不導体の性質を有する弾性材９０を挟み込むことにより、複数のパネル間において物理的及び電気的な隙間がなく、密着して形成することができる。この場合、パネル間の間隔ができ、または電気的に接続されていない場合は、パネルとパネル間に十字状の電気補助体１６５を挿入してもよい。このような十字状の電気補助体１６５は、パネルとパネル間の形状に応じて様々な形状とすることができる。トラックの横方向には図４に示すように、電気接続部４０、５０が等間隔で繰り返して設けられているので、各パネルの導電部に電気を印加するために、任意のパネルの電気接続部４０、５０にそれぞれ＋及び−電源を印加すればよい。図４では、左端の各パネル部の電気接続部４０に＋電源を印加し、電気接続部５０には−電源を印加することによって、全トラックに電源を印加することができることを示している。
【００２０】
トラック１６０に印加される電位は直流でなければならないので、外部電源７０から印加される交流電源を直流電源に切り換え、直流電源の電圧を調整するためのパワー供給部８０が必要である。トラック１６０の上部には、無線操縦で作動する電気機器１２０、１３０が設けられ、図４では、無線調整自動車を代表例として示している。ユーザは、無線調整装置１４０、１５０を用いて、それぞれ無線調整電気機器１２０、１３０を調整することができる。このとき用いられる無線調整装置１４０、１４５と無線調整電気機器１２０、１３０は、既に商用化された技術であるので、詳細な説明は省略する。このとき、無線調整電気機器は、トラック１６０に設けられた＋、−導電部から作動電源が得られる。図示してはいないが、トラックの上部には＋及び−電源が供給されているので、ライト等の電気器具が容易に設けられ、電気器具でない垣根等の建築模型構造物が容易に設けられることは勿論である。
【００２１】
図５は、トラック上で動く無線調整電気機器の下部に設けられる電気接続部の構造を示している。電気接続部１５０（１５１乃至１５４）は、トラックの上部に設けられた導電部２０、３０から＋及び−電源を印加される接続部であって、電気接続部１５１乃至１５４の半径は、図１に示す導電部２０、３０間の距離Ｓ１よりも小さくなければならない。これは、電気接続部の半径がＳ１よりも大きくなると、１つの電気接続部が隣接した導電部２０、３０と同時に接続されることにより、ショートが生じてしまうからである。図５（ａ）では、無線調整電気機器の下部に設けられる電気接続部の接点が４つである。それぞれの電気接続部１５１乃至１５４は、１つの中心点から半径２．５ｃｍを有し、９０°の間隔で設けられている。本発明の発明者は、図１に示す導電部２０、３０の幅ｔを１．６ｃｍ、導電部２０、３０間の距離を０．２ｃｍと設定している。この場合、トラック上に位置する複数の電気接続部１５１乃至１５４は、少なくとも１つが残りの電気接続部と異なる極性の電源を印加されるように構成されてもよい。例えば、図５（ｂ）に示すように、電気接続部１５１及び１５３が＋導電部の中間線上に位置する場合、残りの２つの電気接続部１５２及び１５４は、−導電部から−電源を印加されるようになる。図示してはいないが、若し、電気接続部１５１及び１５３が導電部間の不導体上に位置する場合、電気接続部１５２と１５４は、それぞれ異なる極性の導電部上に置かれるようになる。電気接続部は、４つ以上を設けることが好ましい。図５（ｃ）は、無線調整電気機器の下部に付着される電気接続部の一実施の形態を示す図である。
【００２２】
図６は、本発明による無線調整電気機器の下部に取り付けられる構成部品の一実施の形態を示す図である。無線調整電気機器は、無線調整器（図４の１４０、１４５）から無線信号を受信した後、制御信号を生成する無線受信／制御部１２１と、複数のギアとモータで構成され、電気機器の方向回転を制御するためのサーボ１２５と、サーボ１２５で駆動される回転輪１２６と、制御信号によって速度を調節する速度調節回路部１２２と速度調節用駆動モータ１２３と、速度調節用駆動モータ１２３によって駆動される駆動輪１２４と、電源が必要な各構成部品に電源を印加する電気接続部１５０とで構成されている。図６に示す無線調整電気機器は、電気接続部１５０を除き、既に公知の技術であるので、詳細な説明は省略する。また、図６に示す構成の他、既に公知の様々な技術を適用することができる。即ち、図６では、サーボ１２５と速度調節用駆動モータ１２３を別個に構成しているが、従来の様々な製品がサーボ１２５で速度調節を同時に行うことが多くある。この場合、駆動輪１２４は、動力が伝達されず、単に手動で引き回される機能のみを有するようになる。
【００２３】
図７は、本発明の電気接続部１５０に連結される回路構成図である。上述したように、電気接続部１５１乃至１５４は、移動位置によって同一の電気接続部が＋電位と−電位を交互に印加されるようになる。従って、無線調整電気機器に印加される極性を常時同一の方向に流す必要があり、これはダイオードによって調節可能である。図７に示すように、電気接続部１５１を例として説明すると、電気接続部１５１が＋電位を印加する導電部上に置かれると、電流は１６１番の順方向ダイオードによって＋端子に供給され、電気接続部１５１が−電位を印加する導電部上に置かれると、電流は１６２番の逆方向ダイオードによって−端子に供給されるようになる。図７に示すキャパシタ１５５は、電気接続部１５１乃至１５４の極性がよく切り換わることによるノイズの減少効果と、一時的に電気接続部１５１乃至１５４から電源が供給されない場合、充電された電荷を放電することにより、駆動部に電源を供給する機能を有する。また、充電バッテリ１５６は付加的な構成であり、電流の安定した供給のために設けられてもよい。電気接続部１５１乃至１５４が正常に電源を印加された場合は、バッテリ１５６は充電状態となり、電気接続部１５１乃至１５４から電源が供給されない場合は、放電状態に切り換わる。
【００２４】
本発明の変形例として、本発明の無線調整電気機器の前部にボールを摘まむハンド部を有するボール運び機を設けることにより、子供等のユーザがボール運びゲームを楽しむようにしてもよい。
【００２５】
図８は、本発明によるトラック及びシステムを用いた無線調整電気機器の前部に、ボールを摘まんで運ぶボール運び機が設けられた無線調整電気機器２００を示す斜視図である。
【００２６】
従来、摘まんだボールを持ち上げる部分を駆動するモータの他、底部に位置しているボールを摘まむためには、ボールを摘まむ部分を駆動させるために、１つ以上のモータが別途に必要であった。本発明の変形例では、ボールを摘まむために、従来、２つ以上のモータが必要であったことを顕著に改善し、１つのモータのみでボールを持ち上げ、特に、駆動手段であるモータ無しでも、単にハンド部の構造的な変形だけでも、ボールを摘まむことができるように、ハンド部の構造を変形することを目的とする。
【００２７】
上記目的を達成するために、図９と図１０に示すハンド部２５０、２５５のように、ハンド挟持部２５７がハンド部の下部に設けられ、ハンド部２５０、２５５の重心が下方に位置するようにする。
【００２８】
図８を参照して、本発明による無線調整電気機器２００の上部に、モータ等の外部動力手段を用いなくても、ボールを摘まむことができるハンド部２５０、２５５で構成されたボール運び機が設けられている。
【００２９】
図９は、ボール運び機が組み立てられる模様を示す分解斜視図である。
【００３０】
図９を参照して、ボール運び機は、無線調整電気機器２００の前部にハンド部２５０、２５５を上下動可能に支持する支持台２２０が設けられ、この支持台２２０の前部には、ハンド部２５０、２５５が挟持されるハンド受け部２３０が挟持されるハンド受け部支持台２２５が設けられている。支持台２２０は、図面符号２２２の終端軸を軸にして上下動する。この終端軸２２２は、図８の無線調整電気機器２００の前部を覆うカバー部に設けられた溝（図示せず）に、終端軸２２２の突起部が係止するように設けられている。或いは反対に、終端軸２２２に孔が設けられ、カバー部におけるこの孔が位置する個所と一致する部分に突起が設けられて挟持されるようにしてもよい。
【００３１】
ハンド受け部２３０には、左右１対のハンド部２５０、２５５が挟持されるハンド挟持部２４０と、ハンド部２５０、２５５を下向きに係止させる下部係止段２４５と、ハンド部２５０、２５５を上向きに係止させる上部係止段２３５とが設けられている。右ハンド部２５０と左ハンド部２５５がハンド挟持部２４０に挟持され、これらが抜けないようにカバーで固定されている。また、ハンド部２５０、２５５にハンド挟持部２５７がハンド部２５０、２５５の下部に位置するように設けられている。
【００３２】
支持台２２０は、モータ２７０で駆動され、モータ２７０と連結して回転するギア２７５と、このギア２７５に連結して固定された高さ調節部２８０によって上下動するように構成されている。即ち、モータ２７０によってギア２７５が動き、このギア２７５の端部に連結されている高さ調節部２８０が左方向に動くと、支持台２２０は図面符号２２２の終端を軸にして下向きに動き、支持台２２０が下降した状態で高さ調節部２８０が右方向に動くと、支持台２２０が上向きに動くようになる。
【００３３】
図１０は、ボール運び機の正面図である。図１０を参照して、ハンド挟持部２５７がそれぞれ左右ハンド部２５０、２５５の下方に設けられているので、それぞれのハンド部２５０、２５５の重心がハンド部２５０、２５５の下部に位置するようになる。これによって、それぞれのハンド部２５０、２５５は矢印方向に力が加えられ、下部係止段２４５によって係止するようになる。
【００３４】
図１１は、ハンド部がボールの上端に位置した状態を示している。図１１を参照して、モータ２７０によって高さ調節部２８０が矢印方向の左方に回転すると、支持台２２０が下降し、左右ハンド部２５０、２５５がボール３００と当接する部分に力が加えられ、ハンド部が拡開される。
【００３５】
図１２は、左右ハンド部でボールを摘まんだ状態を示している。
【００３６】
図１３は、ボールを摘まんだハンド部が持ち上げられた状態を示している。図１３を参照して、モータ２７０によって高さ調節部２８０が矢印方向の右方に回転すると、支持台２２０が上昇する。また、ボール３００の重さより左右ハンド部２５０、２５５の矢印方向への力がさらに強いので、ボールがハンド部２５０、２５５から抜けないようになる。
【００３７】
図１４は、ボール運び機がゴールポストにボールを入れるために、ハンド部をゴールポストに位置させた状態を示している。図１５は、ボール運び機がゴールポストに位置した部分を示す正面図である。
【００３８】
図１４及び図１５に示すように、ハンド部２５０、２５５の下部がゴールポスト３１０上に置かれ、高さ調節部２８０を調節して、支持台２２０を下向きにすると、ハンド部２５０、２５５が矢印方向に拡開されるようになる。
【００３９】
図１６は、ハンド部から抜けたボールがゴールポストに入る状態を示している。図１７は、ハンド部からボールが抜ける模様を正面からみた図である。
【００４０】
以上、本発明の変形例によると、ボールを摘まむハンド部２５０、２５５をモータ等の駆動手段と連結せず、単にハンド部２５０、２５５の重心を下部に置いただけである。即ち、ハンド挟持部２５７がハンド部２５０、２５５の下方に位置するように設け、ハンド部２５０、２５５の重心がハンド部２５０、２５５の下方に位置するようにし、ハンド挟持部２５７を中心にハンド部２５０、２５５を回転させる構成を有している。
【００４１】
このような本発明の変形例は、ハンド部２５０、２５５がモータ等の駆動手段無しにボールを摘まみ、また摘まんでいるボールをモータ等の駆動手段無しに抜けさせ得る顕著な効果がある。
【００４２】
以下、本発明によるトラックのパネル構成の他の実施の形態について説明する。
【００４３】
図１に示すように、導電部２０と導電部３０との間に絶縁状態を維持するための所定の距離Ｓ１が極めて狭いので、結局として、図５に示すように、無線調整電気機器の電気接続部１５１、１５４が所定の距離Ｓ１よりも狭いしかなかった。このため、電気接続部１５１乃至１５４が狭いので、トラックの導電部と接触する面積が小さく、無線調整電気機器に大量のパワーを供給できない問題点があった。
【００４４】
上記問題点を解決するために、本発明による他の実施の形態では、トラックのパネルの構成と無線調整電気機器の電気接続部の構成を変形し、無線調整電気機器の電気接続部の領域を大きくしている。
【００４５】
図１８は、本発明による他の実施の形態の基本単位であるパネルの構成を示している。図１９は、本発明によるパネルにおける＋導電部と−導電部の電気的な連結状態を示している。図１８を参照して、パネルは、＋導電部４００、−導電部４１０、絶縁体４２０で構成されている。＋導電部４００、−導電部４１０は、図１９に示すように、対角線方向に連結されている。図１９を参照して、直線部が＋導電部４００の連結状態を示し、一点鎖線部が−導電部４１０の連結状態を示している。本発明の発明者は、＋導電部４００と−導電部４１０の一辺の長さｄを１０ｍｍとし、導電部間の距離Ｇを８ｍｍとしている。
【００４６】
図２０は、図１８のＡ−Ａ’線による側断面図である。
【００４７】
図２０に示すように、それぞれの−導電部４１０は、導電連結体４３０に連結され、−の同一の極性を有する−導電部４１０と連結されるように、絶縁体４２０の下端に設けられた導電体４４０によって電気的に連結されている。
【００４８】
図２１は、本発明の他の実施の形態によって、無線調整電気機器の下部に設けられる電気接続部の構成を示している。図２１に示すように、電気接続部のパネル５００は、導電体である電気接続部５１０と、絶縁体部５３０と、電気接続部５１０上に設けられた導電体である突起５２０とで構成されている。本発明の発明者は、電気接続部５１０の長さｄ２を９ｍｍとし、絶縁体部５３０を含む１単位の接続部の長さｄ１を１１．５ｍｍとした。
【００４９】
図２２は、図２０の電気接続部の１単位を示す側面図である。図２１を参照して、（ａ）の電気接続部の１単位を側面からみると、（ｂ）のように四方からみたとき、上辺が下辺よりも長さが短い台形状をしている。これは、図２０を参照して、導電部４１０は、絶縁体であるパネルの地面から一定の厚さを有するので、無線調整電気機器の電気接続部５１０との円滑な接続を行うためである。
【００５０】
以上、本発明の他の実施の形態によると、図２１に示す電気接続部を有する無線調整電気機器が、図１８に示すトラックのパネル上で動くとき、無線調整電気機器の電気接続部がパネルの導電部と広い領域で接続するので、抵抗が低くなり、無線調整電気機器が充分なパワーを供給されるようになる顕著な効果がある。
【００５１】
【発明の効果】
以上のように、本発明によると、電気配線構造が簡単な複数のパネルで構成されることにより、製造コストが節減され、設置が簡易な効果がある。
【００５２】
また、パネルの両側面に共通の電源供給用電気接続部を設けることにより、隣接したパネル間の少しの位置ずれが生じても、パネルの上部に設けられた導電部間にショートが発生しない安全した構造を提供することができる。
【００５３】
本発明は、図示された実施の形態を特定の用語を用いて説明しているが、これは、一例に過ぎず、本技術の分野の通常の知識を有する者であれば、これから様々な変形及び均等な他の実施の形態が可能であるということを理解するだろう。従って、本発明の真の技術的保護範囲は添付された請求範囲の技術的思想によって定められるべきである。
【００５４】
例えば、本発明で、無線で動作する自動車について説明したが、モニタ上で提供されるアーケードゲーム機の画面を実質的に駆動可能に適用できるホッケー、サッカー、ボクシングゲーム等の全てのモニタ（ビデオ）ゲームの実質的な動きを模型物によって動作させるゲーム機の他、自動車競走、競馬等の順位を決め、または動作を目的とする全ての娯楽用ゲーム等にも容易に適用することができる。
【図面の簡単な説明】
【図１】トラックを形成する基本単位であるパネルの構成を示す斜視図である。
【図２】パネル間の電気的連結状態を示す図である。
【図３】パネル間の電気的連結状態を示す図である。
【図４】４×４パネルからなるトラックの構成を示す斜視図である。
【図５】トラック上で動く無線調整電気機器の下部に設けられる電気接続部の構造を示す図である。
【図６】本発明による無線調整電気機器の下部に取り付けられる構成部品の一実施の形態を示す図である。
【図７】本発明の電気接続部１５０に連結される回路構成図である。
【図８】本発明によるトラック及びシステムを用いた無線調整電気機器の前部に、ボールを摘まんで運ぶボール運び機が設けられた無線調整電気機器を示す斜視図である。
【図９】ボール運び機部分が組み立てられる模様を示す分解斜視図である。
【図１０】ボール運び機の正面図である。
【図１１】ハンド部がボールの上端に位置した状態を示す図である。
【図１２】左右ハンド部でボールを摘まんだ状態を示す図である。
【図１３】ボールを摘まんだハンド部が持ち上げられた状態を示す図である。
【図１４】ボール運び機がゴールポストにボールを入れるために、ハンド部をゴールポストに位置させた状態を示す図である。
【図１５】ボール運び機がゴールポストに位置した部分を示す正面図である。
【図１６】ハンド部から抜けたボールがゴールポストに入る状態を示す図である。
【図１７】ハンド部からボールが抜ける模様を正面からみた図である。
【図１８】本発明による他の実施の形態の基本単位であるパネルの構成を示す図である。
【図１９】本発明によるパネルにおける＋導電部と−導電部の電気的な連結状態を示す図である。
【図２０】図１８のＡ−Ａ’線による側断面図である。
【図２１】本発明の他の実施の形態によって、無線調整電気機器の下部に設けられる電気接続部の構成を示す図である。
【図２２】図２０の電気接続部の１単位を示す側面図である。
【符号の説明】
１０、１１乃至１４                        パネル
４０、５０、１５０、１５１乃至１５４、５１０      電気接続部
１２０、１３０                            電気機器
１６０                                    トラック
５００                                    電気接続部のパネル
【図１】
0004193976.tif 000002
【図２】
0004193976.tif 000003
【図３】
0004193976.tif 000004
【図４】
0004193976.tif 000005
【図５】
0004193976.tif 000006
【図６】
0004193976.tif 000007
【図７】
0004193976.tif 000008
【図８】
0004193976.tif 000009
【図９】
0004193976.tif 000010
【図１０】
0004193976.tif 000011
【図１１】
0004193976.tif 000012
【図１２】
0004193976.tif 000013
【図１３】
0004193976.tif 000014
【図１４】
0004193976.tif 000015
【図１５】
0004193976.tif 000016
【図１６】
0004193976.tif 000017
【図１７】
0004193976.tif 000018
【図１８】
0004193976.tif 000019
【図１９】
0004193976.tif 000020
【図２０】
0004193976.tif 000021
【図２１】
0004193976.tif 000022
【図２２】
0004193976.tif 000023